(57)【要約】【課題】環状に編みこんだ繋ぎ目のない帯状体に対し、その帯状体の長さを調節可能にすること。【解決手段】端部部材１１及び中間部材１２に囲まれた閉じられた略長方形枠の二重通過孔２０に、帯状体１を二重にして通過させ、通過させた二重にした帯状体の重ね合わせ端部１ａを第１の固定部材１３の挿入切欠き２３に通して、第１の固定部材１３において帯状体１が一重で接触する面１２Ｂと二重に接触する面１２Ａを形成する。これによって、中間部材１２と第１の固定部材１３との距離の２倍程度の帯状体１を短くできる。逆にいえば、帯状体長さ調節具を取付けてあるものでは、中間部材１２と第１の固定部材１３との距離の２倍程度の帯状体１を長くできる。【選択図】図２
2012031534.tif 000002
【特許請求の範囲】
【請求項１】
長さ調節対象の帯状体の長さ方向に対応する一端に形成した端部部材と、前記端部部材に隣接して形成した直線状の中間部材と、前記端部部材及び前記中間部材に囲まれ閉じられた略長方形枠を形成した前記帯状体を二重にして通過させる二重通過孔と、
前記中間部材に対して連続的に形成し、一部に前記帯状体の挿入離脱用の挿入切欠きを有し、二重にした前記帯状体の重ね合わせ端部を外周囲に半周以上巻き付ける第１の固定部材を具備し、
前記二重通過孔を通過した前記帯状体が、前記中間部材において二重に接触する面及び一重で接触する面を有し、かつ、前記第１の固定部材においても一重で接触する面と二重で接触する面を有することを特徴とする帯状体長さ調節具。
【請求項２】
前記第１の固定部材に並行し、前記中間部材の反対側に第２の固定部材を設け、該第２の固定部材の一部には前記帯状体の挿入離脱用の挿入切欠きを設けたことを特徴とする請求項１に記載の帯状体長さ調節具。
【請求項３】
前記帯状体の挿入離脱用の挿入切欠きは、前記第１の固定部材及び／または第２の固定部材の中間位置に設けたことを特徴とする請求項１または請求項２に記載の帯状体長さ調節具。
【請求項４】
前記帯状体の挿入離脱用の挿入切欠きは、前記第１の固定部材及び／または第２の固定部材の一方の端部位置に設けたことを特徴とする請求項１乃至請求項３の何れか１つに記載の帯状体長さ調節具。
【発明の詳細な説明】
【技術分野】
【０００１】
本発明は、環状に形成された帯状体の長さ調節具で、特に、幼児を抱く補助具であるベビースリングの長さ調節、幅広の帯状の長さ調節として好適な帯状体長さ調節具に関するものである。
【背景技術】
【０００２】
各種の物品を束ねる結束バンドは、例えば、該結束バンドの両端にそれぞれ装着された一対の締結具間の長さを適宜調節し得るものである。また、ブラジャーの肩紐等においても、使用者の体型に合わせてその長さを調節し得ることが望ましい。このような長さ調節を可能とするべく従来の結束バンドでは、例えば、アジャスターと称される長さを調節具によって長さを調整している。
【０００３】
何れも、従来の各種の物品を束ねるバンド、ベルト、帯、幅広紐等の帯状体は、帯状体の切断されている端部に取付けられた接続調節具で、その接続の深い浅いによって帯状体の環状の長さを決定している。
【先行技術文献】
【特許文献】
【０００４】
【特許文献１】特開２０１０−４３３７８
【発明の概要】
【発明が解決しようとする課題】
【０００５】
ところが、例えば、ベビースリングのように環状に１本の糸で編み上げた繋ぎ目のない帯状体では、ベビースリング自体に高い安全性が期待できるものの、その全体の長さ調節を行うには困難であった。
【０００６】
そこで、本発明は、かかる課題を解決すべくなされたものであって、環状に編みこんだ繋ぎ目のない帯状体に対し、その帯状体の長さを調節可能にする帯状体長さ調節具の提供を目的とするものである。
【課題を解決するための手段】
【０００７】
請求項１にかかる帯状体長さ調節具は、一端に形成した端部部材と、前記端部部材に隣接して形成した直線状の中間部材と、前記端部部材及び前記中間部材に囲まれた閉じられた略長方形枠を形成し、帯状体を二重にして通過させる二重通過孔と、前記中間部材に対して連続的に形成し、一部に帯状体の挿入離脱用の挿入切欠きを有し、二重にした帯状体の重ね合わせ端部を外周囲に半周以上巻き付ける第１の固定部材を具備し、前記二重通過孔を通過した前記帯状体が、前記中間部材において二重に接触する面及び一重で接触する面とを有し、かつ、前記第１の固定部材においても一重で接触する面と二重に接触する面を有する。
ここで、帯状体を２重にして通過させる二重通過孔は、端部部材と中間部材とによって略長方形の開口を形成する枠体であればよく、前記端部部材と前記中間部材間には挿入切欠きが形成されていない。
また、前記二重通過孔を通過した帯状体を二重にして接触する面及び一重で接触する面を有する中間部材は、帯状体を短くする基準となるものである。
そして、一部に帯状体の挿入離脱用の挿入切欠きを有し、二重にした帯状体の端部を巻き付ける第１の固定部材は、二重通過孔を通過させた前記帯状体を、前記中間部材に並行する端部部材によって前記中間部材及び前記端部部材によって閉じられた略長方形開口を形成したものであり、中間部材の拘束基準から第１の固定部材の帯状体の長さが帯状体の長さを短くする長さに相当する。帯状体を２重にして通過させる二重通過孔から第１の固定部材までの距離の約２倍が調節長さとなる。
更に、二重にした帯状体の重ね合わせ端部を外周囲に半周以上巻き付ける第１の固定部材とは、第１の固定部材が丸棒で形成したときには、論理的には半周以上巻き付けることになるので、それを特定したものである。勿論、断面長方形のものも半周以上巻き付けることになる。
【０００８】
請求項２にかかる帯状体長さ調節具は、前記第１の固定部材に並行し、前記中間部材の反対側に第２の固定部材を設け、該第２の固定部材の一部には帯状体の挿入離脱用の挿入切欠きを設けたものである。
ここで、前記中間部材の反対側に第２の固定部材を形成したものでは、帯状体の長さを２段階に変化させることができる。
【０００９】
請求項３にかかる帯状体長さ調節具の第１の固定部材及び／または第２の固定部材の前記帯状体の挿入離脱用の挿入切欠きは、中間位置に設けたものである。
ここで、前記帯状体の挿入離脱用の挿入切欠きを中間位置に設けたものであるから、合成樹脂で成型しても、挿入切欠き側端部とその付け根との距離が１／２以下と短くなり、第１の固定部材及び／または第２の固定部材に加えられる前記帯状体の張力が第１の固定部材及び／または第２の固定部材の偶力として働くが、前記帯状体の作用点の距離が１／２以下と短いから機械的強度を保ちやすい。
【００１０】
請求項４にかかる帯状体長さ調節具の前記帯状体の挿入離脱用の挿入切欠きは、一方の端部位置に設けたものである。
ここでは、前記帯状体の作用点の距離が全長となり、機械的強度は弱くなるが、前記帯状体の挿入が簡単となる。
【発明の効果】
【００１１】
請求項１の帯状体長さ調節具は、端部部材及び中間部材に囲まれた閉じられた略長方形開口の二重通過孔に、帯状体を二重にして通過させ、通過させた二重にした帯状体の重ね合わせ端部を第１の固定部材の挿入離脱用の挿入切欠きに通して、前記第１の固定部材において前記帯状体が一重で接触する面と二重に接触する面を形成する。これによって、前記中間部材と前記第１の固定部材との距離の２倍程度の帯状体を短くできる。逆にいえば、帯状体長さ調節具を取付けてあるものでは、前記中間部材と前記第１の固定部材との距離の２倍程度の帯状体を長くできる。
特に、環状に１本の糸で編み上げて高い安全性が期待できるベビースリングの場合でも、環状に編みこんだ繋ぎ目のない帯状体に対し、その帯状体の長さを調節可能にすることができる。また、帯状体長さ調節具は帯状体の外側に位置させることができるから、取付けられていても、人の身体に違和感を感じない。
【００１２】
請求項２の帯状体長さ調節具は、前記第１の固定部材に並行し、前記中間部材の反対側に第２の固定部材を設け、該第２の固定部材の一部には帯状体の挿入離脱用の挿入切欠きを設けたものであるから、請求項１に記載の効果に加えて、前記中間部材と前記第１の固定部材との距離の２倍程度の帯状体を調節でき、また、前記中間部材と前記第２の固定部材との距離の２倍程度の帯状体を調節できる。また、偶力が作用する作用点の距離が短いから機械的強度が強い。
【００１３】
請求項３の帯状体長さ調節具における前記帯状体の挿入離脱用の挿入切欠きは、前記第１の固定部材及び／または第２の固定部材の中間位置に設けたものであるから、請求項１または請求項２に記載の効果に加えて、前記帯状体の大きな張力にも耐えうる構造となる。
【００１４】
請求項４の帯状体長さ調節具における前記帯状体の挿入離脱用の挿入切欠きは、一方の端部位置に設けたものであるから、請求項１乃至請求項３の何れか１つに記載の効果に加えて、前記帯状体の挿着が重なり部分を利用して引っ掛ければよいから、挿着が容易となる。
【図面の簡単な説明】
【００１５】
【図１】図１は本発明の実施の形態１にかかる帯状体長さ調節具の斜視図（ａ）及び平面図（ｂ）である。
【図２】図２は本発明の実施の形態１にかかる帯状体長さ調節具の帯状体との関係を示す図で、図１（ｂ）の切断線Ａ−Ａによる断面による機能説明図である。
【図３】図３は本発明の実施の形態１にかかる帯状体長さ調節具の使用状態を示す斜視図（ａ）及び一部断面を示す斜視図（ｂ）である。
【図４】図４は本発明の実施の形態１にかかるベビースリングの通常の状態を示す斜視図（ａ）及びそこに帯状体長さ調節具の取付け状態を示す斜視図（ｂ）である。
【図５】図５は本発明の実施の形態１にかかるベビースリングの通常の使用状態を示す斜視図（ａ）及びそこに帯状体長さ調節具の取付けた使用状態を示す斜視図（ｂ）である。
【図６】図６は本発明の実施の形態２にかかる帯状体長さ調節具の斜視図（ａ）及び平面図（ｂ）である。
【図７】図７は本発明の実施の形態２にかかる帯状体長さ調節具の帯状体との関係を示す図で、図６（ｂ）の切断線Ｂ−Ｂによる断面による機能説明図である。
【図８】図８は本発明の実施の形態２にかかる帯状体長さ調節具の使用状態を示す一部断面を示す斜視図（ａ）及び長さをより短くした一部断面を示す斜視図（ｂ）である。
【図９】図９は本発明の実施の形態１にかかる帯状体長さ調節具の変形例の斜視図（ａ）で、また、実施の形態２の変形例の斜視図（ｂ）である。
【図１０】図１０は本発明の実施の形態１にかかる帯状体長さ調節具の他の変形例の斜視図（ａ）で、また、実施の形態２の他の変形例の斜視図（ｂ）である。
【発明を実施するための形態】
【００１６】
以下、本発明の実施の形態について、図面に基づいて説明する。なお、実施の形態において、図示の同一記号及び同一符号は、同一または相当する機能部分であるから、ここではその重複する説明を極力控える。
【００１７】
［実施の形態１］
図１において、本実施の形態１の帯状体長さ調節具１０は、全体が略日の字状であり、その全体を合成樹脂で形成したが、アルミニウム、チタン、鉄等の金属製とすることもできる。全体の構成材料としては、できるだけ軽量で機械的強度が強いことが望ましい。
帯状体１の長さ方向の一端に形成した端部部材１１と、その端部部材１１に並行し、隣接して形成した直線状の中間部材１２によって、略口の字状の端部部材１１及び中間部材１２に囲まれ、両者を一体にする接続材１４，１５で閉じられた略長方形枠体を形成し、この略長方形枠体は帯状体１（図２、図３参照）を二重にして通過させる二重通過孔２０を形成している。
【００１８】
また、中間部材１２の接続材１４,１５を延長させ、一部に帯状体１の挿入離脱用の挿入切欠き２３を有し、二重にした帯状体１の重ね合わせ端部１ａを外周囲に巻き付ける固定部材１３（実施の形態２との違いを示すために「第１の固定部材」という）を有している。即ち、第１の固定部材１３は、両端が接続材１４または接続材１５に接続されていて、中間部材１２及び端部部材１１と並行する第１の固定部材１３ａ及び第１の固定部材１３ｂからなっている。第１の固定部材１３ａと第１の固定部材１３ｂは、帯状体１の挿入離脱用の挿入切欠き２３によって２つに分かれている。
【００１９】
挿入切欠き２３は、第１の固定部材１３の長さ方向に対して略４５度で切断されたものであり、その幅は、帯状体１が中間部材１２と第１の固定部材１３で囲まれた空間２１に入ることができる幅に設定され、かつ、容易に離脱できないようにしている。中間部材１２と第１の固定部材１３で囲まれた空間２１は、帯状体１の両端が接続材１４または接続材１５に接触し、挿入切欠き２３の帯状体１に集中して力が加わらないようにしている。
なお、若干扱い難くなるが、第１の固定部材１３ａと第１の固定部材１３ｂの空間２１側に半円状の突起を形成し、空間２１の隙間間を少なくすると、帯状体１の外力が大きくても、半円状の突起が帯状体１を中間部材１２側に押さえ、安定した取付け対応となる。
【００２０】
このように構成した実施の形態１の帯状体長さ調節具１０は、例えば、ベビースリング等に取付けられ、図２及び図３に示されるように使用される。
まず、図２（ａ）に示すように、ベビースリング等を構成する帯状体１の本実施の形態の帯状体長さ調節具１０を取付けたい位置を摘み、二重にした帯状体１の重ね合わせ端部１ａを二重通過孔２０に通す。そして、そのまま引き上げ、図２（ｂ）に示すように、その重ね合わせ端部１ａを第１の固定部材１３側に倒し、図２（ｃ）に示すように、重ね合わせ端部１ａの下側にある帯状体１を挿入切欠き２３を通過させ空間２１側に移動させる。これによつて、重ね合わせ端部１ａは第１の固定部材１３、即ち、第１の固定部材１３ａ及び第１の固定部材１３ｂに引っ掛けられる。
【００２１】
更に、ベビースリングに使用した場合について説明する。図４（ａ）に示すように、ベビースリングを構成する帯状体１、幼児を受ける幼児受部２、肩に幼児の体重をかける肩当部３は、所定の強度の１本の糸で編み込まれ、必要に応じて模様、文字等が形成されている。
そこで、図４（ｂ）に示すように、実施の形態１の帯状体長さ調節具１０を帯状体１に取付けることによって、中間部材１２と第１の固定部材１３との距離の２倍強の距離を短くすることができる。
【００２２】
それを使用したベビースリングの使用状態は、図５（ａ）の実施の形態の実施例１にかかるベビースリングの通常の使用状態を示す斜視図、図５（ｂ）の帯状体長さ調節具１０の取付けた使用状態を示す斜視図に示すように、母親の身長または好みによって、幼児を抱く位置を変更することができる。
勿論、例えば、ベビースリング等のメーカ側にとっては、特定の規格に合致した複数の環状サイズのベビースリングを製造すれば、その間のサイズの補間が可能となる。
【００２３】
［実施の形態２］
本実施の形態２では実施の形態１との相違点を説明する。
図６において、本実施の形態２の帯状体長さ調節具１０は、実施の形態１と同様に、全体が略目の字状であり、その全体を合成樹脂で形成したが、アルミニウム、チタン、鉄等の金属製とすることもできる。全体の構成材料としては、できるだけ軽量で機械的強度が強いことが望ましい。
帯状体１の長さ方向の一端に形成した端部部材１１と、その端部部材１１に並行し、隣接して形成した直線状の中間部材１２によって、略口の字状の端部部材１１及び中間部材１２に囲まれ、両者を一体にする接続材１４，１５で閉じられた略長方形枠体を形成し、この略長方形枠体は帯状体１を二重にして通過させる二重通過孔２０となっている。
【００２４】
また、中間部材１２の接続材１４,１５を延長させ、一部に帯状体１の挿入離脱用の挿入切欠き２３を有し、二重にした帯状体１の重ね合わせ端部１ａを外周囲に巻き付ける第１の固定部材１３と第２の固定部材３３を有している。即ち、第１の固定部材１３は、両端が接続材１４または接続材１５に接続されていて、中間部材１２及び端部部材１１と並行する第１の固定部材１３ａ及び第１の固定部材１３ｂからなっている。また、第２の固定部材３３は、両端が接続材１４または接続材１５に接続されていて、中間部材１２及び端部部材１１、第１の固定部材１３と並行する第２の固定部材３３ａ及び第２の固定部材３３ｂからなっている。これら第１の固定部材１３ａと第１の固定部材１３ｂは挿入切欠き２３によって、第２の固定部材３３ａと第２の固定部材３３ｂは挿入切欠き３２によって２つに分かれている。
【００２５】
挿入切欠き２３，３２は、第１の固定部材１３及び第２の固定部材３３の長さ方向に対して略４５度で切断されたものであり、その幅は、帯状体１が中間部材１２と第１の固定部材１３で囲まれた空間２１に、また、帯状体１が第１の固定部材１３と第２の固定部材３３で囲まれた空間３０に入ることができる幅に設定され、かつ、何れも容易に離脱できないようにしている。
中間部材１２と第１の固定部材１３で囲まれた空間２１は、帯状体１の両端が接続材１４または接続材１５に接触し、挿入切欠き２３の帯状体１に集中して力が加わらないようにしている。
【００２６】
本実施の形態においても、若干扱い難くなるが、第１の固定部材１３ａと第１の固定部材１３ｂの空間２１側に半円状の突起を形成し、空間２１の隙間間を少なくすると、帯状体１の外力が大きくても、半円状の突起が帯状体１を中間部材１２側に押さえ、安定した取付け対応となる。
特に、本実施の形態においては、挿入離脱用の挿入切欠き２３と挿入切欠き３２は、第１の固定部材１３及び第２の固定部材３３の長さ方向に対して略４５度で切断されたものであり、挿入切欠き２３と挿入切欠き３２は切り欠きが一直線状になく、仮に、挿入切欠き２３を帯状体１が通過して離脱することを想定しても、それが挿入切欠き３２の第２の固定部材３３ｂ側で受け止められ、急激に帯状体１が伸びるのを防止できる。
【００２７】
このように構成した実施の形態２の帯状体長さ調節具１０は、例えば、ベビースリング等に取付けられ、図７及び図８に示されるように使用される。
まず、図７（ａ）に示すように、ベビースリング等を構成する帯状体１の本実施の形態の帯状体長さ調節具１０を取付けたい位置を摘み、二重にした帯状体１の重ね合わせ端部１ａを二重通過孔２０に通す。そして、そのまま引き上げ、図７（ｂ）に示すように、その重ね合わせ端部１ａを第１の固定部材１３側に倒し、図７（ｃ）に示すように、重ね合わせ端部１ａの下側にある帯状体１を挿入切欠き２３を通過させ空間２１側に移動させる。これによって、重ね合わせ端部１ａは第１の固定部材１３、即ち、第１の固定部材１３ａ及び第１の固定部材１３ｂに引っ掛けられる。これによって、帯状体１は図８（ａ）に示すように、第１の固定部材１３に掛けることで所定の距離の調整が可能となる。
【００２８】
また、二重にした帯状体１の重ね合わせ端部１ａを二重通過孔２０に通して、そのまま引き上げ、図７（ｂ）に示すように、その重ね合わせ端部１ａを第２の固定部材３３側に倒し、図７（ｄ）に示すように、重ね合わせ端部１ａの下側にある帯状体１を挿入切欠き３２を通過させ空間３０側に移動させる。これによって、重ね合わせ端部１ａは第２の固定部材３３、即ち、第２の固定部材３３ａ及び第２の固定部材３３ｂに引っ掛けられる。
したがって、帯状体１は図８（ｂ）に示すように、第１の固定部材１３に掛ける場合と、第２の固定部材３３に掛ける場合とでは、約２倍の距離の調整が可能となる。ここで、更に、中間部材１２と第１の固定部材１３と第２の固定部材３３との間隔を設定することにより、帯状体１の調整距離を任意に設定することができる。
【００２９】
［実施の形態の変形］
図９（ａ）は実施の形態１の変形例で、第１の固定部材１３の挿入切欠き２３は、第１の固定部材１３の長さを中間部材１２と同一とし、第１の固定部材１３と中間部材１２との間で挿入切欠き２３を得ている。
したがって、この変形例では、重ね合わせ端部１ａから直接挿入切欠き２３を介して第１の固定部材１３に取付ければよいので、取付けが簡単である。
図９（ｂ）は実施の形態２の変形例で、第２の固定部材３３の挿入切欠き３２は、第２の固定部材３３の長さを中間部材１２、端部部材１１と同一とし、第２の固定部材３３と第１の固定部材１３との間で挿入切欠き３２を得ている。
したがって、この変形例では、重ね合わせ端部１ａから直接挿入切欠き３２を介して第２の固定部材３３に取付ければよいので、取付けが簡単である。
【００３０】
図１０（ａ）は実施の形態１の他の変形例で、第１の固定部材１３の挿入切欠き２３は、第１の固定部材１３の長さを中間部材１２と同一とし、第１の固定部材１３と中間部材１２との間で挿入切欠き２３を得ている。挿入切欠き２３の両側には、半球柱状体２３ａが突起として設けられており、第１の固定部材１３に取付けられた重ね合わせ端部１ａの張力で変形ができないようにしたものである。
したがって、この変形例では、重ね合わせ端部１ａから直接挿入切欠き２３を介して第１の固定部材１３に取付ければよいので、取付けが簡単であり、また、半球柱状体２３ａ相互間の当接により、機械的強度も上げることができる。
【００３１】
図１０（ｂ）は実施の形態２の他の変形例で、中間部材１２と第１の固定部材１３の挿入切欠き２３と、第１の固定部材１３と第２の固定部材３３の挿入切欠き３２を得ている。第１の固定部材１３と第２の固定部材３３の長さを中間部材１２、端部部材１１と同一としている。そして、挿入切欠き２３と挿入切欠き３２の両側には、半球柱状体２３または半球柱状体３２ａが突起として設けられており、第１の固定部材１３または第２の固定部材３３に取付けられた重ね合わせ端部１ａの張力で変形ができないようにしたものである。
したがって、この変形例では、重ね合わせ端部１ａから直接挿入切欠き３２を介して第２の固定部材３３に取付ければよいので、取付けが簡単である。また、半球柱状体２３ａ相互間の当接により、機械的強度も上げることができる。
【００３２】
［実施の形態のまとめ］
長さ調節対象の帯状体１の長さ方向に対応する一端に形成した端部部材１１と、端部部材１１に隣接して形成した直線状の中間部材１２と、端部部材１１及び中間部材１２に囲まれた閉じられた略長方形枠を形成した帯状体１を二重にして通過させる二重通過孔２０と、中間部材１２に対して接続材１４,１５で連続的に形成し、一部に帯状体１の挿入切欠き２３、３２を有し、二重にした帯状体１の重ね合わせ端部１ａを外周囲に半周以上巻き付ける第１の固定部材１３を具備し、二重通過孔２０を通過した帯状体１が、中間部材１２において二重に接触する面１２Ａ及び一重で接触する面１２Ｂを有し、かつ、第１の固定部材１３においても一重で接触する面１３Ａと二重で接触する面１３Ｂを有するものである。
【００３３】
ここで、二重にした帯状体１の重ね合わせ端部１ａを外周囲に半周以上巻き付ける第１の固定部材１３または第２の固定部材３３とは、第１の固定部材１３、第２の固定部材３３が丸棒で形成したときには、論理的には半周以上巻き付けることになるので、それを特定したものである。
【００３４】
したがって、端部部材１１及び中間部材１２に囲まれた閉じられた略長方形枠の二重通過孔２０に、帯状体１を二重にして通過させ、通過させた二重にした帯状体の重ね合わせ端部１ａを第１の固定部材１３の挿入切欠き２３に通して、第１の固定部材１３において帯状体１が一重で接触する面１２Ｂと二重に接触する面１２Ａを形成する。これによって、中間部材１２と第１の固定部材１３との距離の２倍程度の帯状体１を短くできる。逆にいえば、帯状体長さ調節具１０を取付けてあるものでは、中間部材１２と第１の固定部材１３との距離の２倍程度の帯状体１を長くできる。
特に、環状に１本の糸で編み上げて高い安全性が期待できるベビースリングの場合でも、環状に編みこんだ繋ぎ目のない帯状体１に対し、その帯状体１の長さを調節可能にすることができる。また、帯状体長さ調節具１０は帯状体１の外側に位置させることができるから、取付けられていても、人の身体に違和感を与えない。そして、人が歩いていても、帯状体１に張力が加わっているので、帯状体長さ調節具１０が動くことがない。
【００３５】
上記実施の形態の帯状体長さ調節具１０は、第１の固定部材１３に並行し、中間部材１２の反対側に第２の固定部材３３を設け、第２の固定部材３３の一部には帯状体１の挿入切欠き３２を設けたものである。
したがって、第１の固定部材１３に並行して中間部材１２の反対側に第２の固定部材３３を設け、第２の固定部材３３の一部には帯状体１の挿入切欠き３２を設けたものであり、中間部材１２と第１の固定部材１３との距離の約２倍程度の帯状体１を調節でき、また、中間部材１２と第２の固定部材３３との距離の約２倍程度の帯状体１を調節できる。
【００３６】
上記実施の形態の帯状体長さ調節具１０は、帯状体１の挿入切欠き２３及び／または挿入切欠き３２は、第１の固定部材１３及び／または第２の固定部材３３の中間位置に設けたものである。
したがって、帯状体長さ調節具１０における帯状体１の挿入切欠き２３及び／または挿入切欠き３２は、第１の固定部材１３及び／または第２の固定部材３３の中間位置に設けたものであるから、帯状体１の大きな張力にも耐えうる構造となる。
【００３７】
上記実施の形態の帯状体長さ調節具１０は、帯状体１の挿入切欠き２３及び／または挿入切欠き３２は、第１の固定部材１３及び／または第２の固定部材３３の一方の端部位置に設けたものである。
したがって、帯状体長さ調節具１０における帯状体１の挿入切欠き２３及び／または挿入切欠き３２は、一方の端部位置に設けたものであるから、帯状体１の挿着が重なり部分を利用して引っ掛ければよいから、挿着が容易となる。
【００３８】
上記実施の形態の帯状体長さ調節具１０は、全体が略日の字状または略目の字状であり、その全体を合成樹脂で断面長方形に形成したが、端部部材１１、中間部材１２、第１の固定部材１３、第２の固定部材３３の断面を略丸、楕円、正方形、長方形等の何れかとすることができる。
【符号の説明】
【００３９】
１      帯状体
１０    帯状体長さ調節具
１１    端部部材
１２    中間部材
１３    第１の固定部材
２３，３２    挿入切欠き
１ａ    重ね合わせ端部
２０    二重通過孔
２１，３０    空間
２３ａ，３２ａ  半球柱状体
３３    第２の固定部材
【図１】
2012031534.tif 000003
【図２】
2012031534.tif 000004
【図３】
2012031534.tif 000005
【図４】
2012031534.tif 000006
【図５】
2012031534.tif 000007
【図６】
2012031534.tif 000008
【図７】
2012031534.tif 000009
【図８】
2012031534.tif 000010
【図９】
2012031534.tif 000011
【図１０】
2012031534.tif 000012